(57)【特許請求の範囲】
【請求項１】
床下部分を防蟻する構造を施工するための方法であって、
前記床下部分の地盤に、束石の上面と地盤の上面を略同一の高さとし、かつ束石の上面を地盤の上面から露出させるようにして当該束石を設ける工程と、
これらの地盤と束石とにまたがってその上に防蟻シートを敷く工程と、
この防蟻シートを挟んで束石の上に床束を設置する工程とを含むことを特徴とする床下防蟻構造の施工方法。
【請求項２】
請求項１に記載の床下防蟻構造の施工方法において、上記床束に、素材が合成樹脂のものを用いることを特徴とする床下防蟻構造の施工方法。
【請求項３】
請求項１又は２に記載の床下防蟻構造の施工方法において、上記防蟻シートに、合成樹脂製シートを用いることを特徴とする床下防蟻構造の施工方法。
【発明の詳細な説明】
【０００１】
【発明の属する技術分野】
本発明は、建築物の床下における防蟻構造の施工方法に関するものである。
【０００２】
【従来の技術】
従来、建築物の床下構造において、床束は通常木製であり、地盤にある湿気で床束が腐食することを防止する必要があった。したがって、束石の部分は、地盤の上面より突起するよう設置することが一般的である。また、木造建築物においては、地盤から束石、床束を経由して、白蟻が床下から這い上がり、建築物に食害を与えることが多い。そこで、これらの被害を低減するため、地盤の上に防蟻シートを敷く方法がある。この場合、防蟻シートにより、蟻が地盤から建築物に這い上がることを低減する。地盤に防蟻シートを敷く方法としては、下記の従来技術が存在する。
【０００３】
▲１▼  防蟻シートの束石に対応する部分に穴をあけ、防蟻シートを地盤に敷いたとき、防蟻シートから束石が露出するようにする。そして、束石と防蟻シートとの隙間を、防蟻用薬液を含有した接着剤等で接着する。（特公平４−１５８５９号公報）
▲２▼  可撓性の防蟻シートに束石の突起部分より一回り小さい穴をあける。そして、この穴に束石を通して束石と防蟻シートを密着させながら押し下げて、地盤と密着させる。（特公平６−７６７０４号公報）
【０００４】
【発明が解決しようとする課題】
しかしながら、双方の技術共に、敷設作業を行う際、防蟻シートから束石を露出させる必要がある。そのため、上記▲１▼、▲２▼の技術共に、防蟻シートから束石を露出させる為、予め防蟻シートに穴を開ける必要がある。さらに、上記▲１▼の技術では、束石と防蟻シートとの隙間を防蟻処理を施した接着剤等で接着する必要があり、作業に手間がかかる。また、上記▲２▼の技術においても、防蟻シートを束石に密着させて押し下げる必要があり、その作業を行う際に力が必要な為、作業手間がかかる。したがって、敷設作業の手間の軽減化を図ることが課題とされていた。
【０００５】
なお、防蟻シートに穴を開けずに、そのまま地盤と束石の上に防蟻シートを敷けば、上記の手間は省かれるが、束石が地盤から突起しているため、そのままシートを敷設すると、シート敷設面と束石、特に束石側面との間で隙間が生じやすい。よって、人がその部分を踏みつけるとシートが動いて、シートの継ぎ目部分が剥離し、被覆されていない部分が出来るおそれがある。さらに、そこから白蟻が這い上がる等の問題が発生し、防蟻効果が低減する可能性があった。
【０００６】
上記の課題を解決するため、本発明は、従来技術の機能を損なうことがなく、防蟻シートの敷設作業の手間を軽減する床下防蟻構造の施工方法を提供するものである。
【０００７】
【課題を解決するための手段】
請求項１の発明は、床下部分を防蟻する構造を施工するための方法であって、前記床下部分の地盤に、束石の上面と地盤の上面を略同一の高さとし、かつ束石の上面を地盤の上面から露出させるようにして当該束石を設ける工程と、これらの地盤と束石とにまたがってその上に防蟻シートを敷く工程と、この防蟻シートを挟んで束石の上に床束を設置する工程とを含むことを特徴とする。
【０００８】
本発明に従えば、束石の上面と地盤の上面が略同一の高さであるため、地盤と束石の上に防蟻シートをのせるだけで、特別な工程、作業等を施さなくても、束石との間に大きな間隙が生じることなくシートを敷設できる。したがって、人が間隙部を踏みつける等によってシートが動いてシートの継ぎ目が剥離するといった状況が生じることを防ぐことが出来る。
【０００９】
さらに、従来技術のように、防蟻シートに加工（例えば穴あけ加工）を施した後、束石と防蟻シートとの隙間を接着剤等で接着したり、防蟻シートに加工（例えば穴あけ加工）を施した後、防蟻シートを束石に密着させて押し下げたりする作業が不要になる。
【００１０】
しかも、地盤から発生する湿気は、防蟻シートにより遮断されるため、地盤の上面と束石の上面を同一の高さにしても、地盤にある湿気によって床束が腐食することを有効に防止することが出来る。
【００１１】
特に、床束を合成樹脂素材で作製した場合、湿気によって床束が腐食することを略回避することが可能となる。
【００１２】
また、上記の防蟻シートについて、合成樹脂製シート等に代表される透湿性の低い材料を使用することにより、湿気によって床束が腐食することをさらに確実に防止することが可能となる。
【００１３】
【発明の実施の形態】
本発明の実施形態を図１によって説明する。ただし、本発明は以下の実施形態にとらわれることはない。
【００１４】
地盤１０の上に基礎５０が立設され、この基礎５０で囲まれた床下部分に束石２０が設けられている。防蟻シート３０は、基礎５０で囲まれた部分の全面に敷設される。
【００１５】
床束４０は、防蟻シート３０を挟んで束石２０の上に設置され、基礎５０と床束４０の上面に図示されていないが、建築物が設置されている。
【００１６】
地盤１０の上面と、束石２０の上面の高さは、略同一となっている。なお、本実施形態における略同一の高さとは、防蟻シート３０を敷設したとき、防蟻シート３０が束石２０との間に隙間が生じない程度の高さのことをいう。
【００１７】
また、図例では、複数枚の防蟻シート３０が敷かれ、互いに隣接する防蟻シート３０同士は、ジョイント部３１で接続されている。
【００１８】
防蟻シート３０について、基礎５０の際の部分は、地盤１０の床下部分に関し基礎際の部分を掘り下げ、その上に防蟻シート３０を敷く。この場合、防蟻シート３０の端と基礎５０は必ずしも密着させる必要はない。しかし、密着させるほうが、防蟻効果が高くなるため好ましい。その上に砂等に代表される充填材１２を充填する。さらに、充填材１２の上に防蟻剤を混入した固定材１４を設置し、基礎５０に固定する。よって、防蟻シート３０は基礎際に固定される。
【００１９】
地盤１０は、建築可能な土質であればよい。また、基礎５０で囲まれた部分（床下部分）とそれ以外の部分の地盤上面の高さは図１のように異なっていても、同一の高さでもどちらでもよく、要は地盤１０の上面と束石２０の上面の高さが、略同一になっていればよい。
【００２０】
ただし、図１のように基礎５０で囲まれた床下部分の地盤１０を土等で盛り上げて、床下部分の地盤１０の上面の高さを、床下部分以外の部分の地盤の上面の高さより高くすることも出来る。このようにすると、地盤１０から発生する湿気を抑えることが出来るため、湿気によって起こる床束４０の腐食を防止できることが可能となる。さらには、床下部分に溜まった水滴等が、床下部分以外の地盤１０に排水することが出来、水はけを良くすることも可能となる。
【００２１】
なお、本実施形態での基礎５０は、通常は布基礎であるが、独立基礎等、上記実施形態を行うことが可能であれば、特に問題ない。
【００２２】
防蟻シート３０には、防蟻剤が混錬及び含浸されている。シート材についてはは、特に限定はされないが、エチレン−酢酸ビニルアルコール共重合体（ＥＶＡ）、低密度ポリエチレン等に代表されるオレフィン系樹脂、ポリ塩化ビニル等に代表される合成樹脂製シート、あるいは化学繊維を接着剤で結合させた不織布、金属製メッシュ等を用いることが出来るが、柔軟性を持つ素材を用いる方が、地盤１０や束石２０に多少の凹凸があっても、密着することが可能なため好ましい。特に好ましくは、防湿性に優れた合成樹脂製シートである。防蟻剤としてはフェニトロチオン、ホキシム（公知の有機リン系殺虫剤）、ピレスロイド系薬剤（シラフルオフェン、エトフィンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノカルブ、セビン等）、クロルニコチル系薬剤（イミダクロプリド、アセタプリドなど）等が主に用いられるが、防蟻性を持つものであれば、特に限定されない。
【００２３】
床束４０に使用される素材は、特に限定はされないが、従来主として使用されている木材に加えて、ポリエチレン並びにポリプロピレン等に代表されるオレフィン系樹脂、ポリスチレン、ポリ塩化ビニル、ナイロン等のポリアミド樹脂、ＦＲＰ等の合成樹脂、及び、ステンレス等の金属材料等を使用することも出来る。
【００２４】
こうすれば、束石２０の上面と地盤１０の上面が略同一の高さであるため、地盤１０と、束石２０の上に防蟻シート３０を敷いただけで、特別な工程、作業等を施さなくても、防蟻シート３０と束石２０との間に間隙を生ずることなく設置できる。
【００２５】
したがって、前記間隙を作業者等が踏みつけることによって防蟻シート３０が動くことが少なくなり、ジョイント部３１に剥離が生じにくくなる。したがって、防蟻シート３０同士の間に隙間が生じ、地盤１０が露出してしまうことを防ぐことが出来る。
【００２６】
さらに、基礎５０で囲まれた床下部分は、防蟻シート３０、充填材１２、固定材１４で地盤１０を完全に覆うため、地盤１０が露出している個所がない。したがって、防蟻シート３０に穴あけ加工を施した後、束石２０及び防蟻シート３０との隙間を接着剤等で接着したり、防蟻シート３０に穴あけ加工を施した後、防蟻シート３０を束石２０に密着させて押し下げたりしなくても、十分な防蟻効果を得ることが可能となる。
【００２７】
したがって、防蟻シート３０の敷設作業の手間を低減することが出来る。
【００２８】
しかも、防蟻シート２０を地盤１０の上に敷設することにより、地盤１０から発生する湿気を一部遮断することが出来るため、地盤１０の上面と束石２０の上面を略同一の高さにしても、地盤１０にある湿気により床束４０が腐食することを有効に保護することが出来る。
【００２９】
また、床束４０を、ポリエチレン並びにポリプロピレン等に代表されるオレフィン系樹脂、ポリスチレン、ポリ塩化ビニル、ポリアミド樹脂等の合成樹脂、及び、ステンレス等の金属材料などに代表される湿気で腐食しない素材で作製することにより、床束４０自体に耐食性を付与することが出来、より湿気による腐食を回避することが可能となる。
【００３０】
また、防蟻シート３０に上記に挙げられたシート材のうち、合成樹脂等のように防湿性に優れた材料を使用することにより、さらに地盤１０から発生する湿気を遮断することが可能となる。したがって、床束４０が湿気によって腐食することを、より有効に防止することが可能となる。
【００３１】
以下において上記実施形態における施工例を記載する。なお、施工方法に関しては上記実施形態が施工可能であれば、下記の施行例にこだわらない。
【００３２】
施工例１（図２（ａ）〜図２（ｇ）参照）
工程（１）  地盤１０に基礎５０が設置されている。（図２（ａ）参照）
工程（２）  地盤１０を掘り下げて、施工穴１１を設ける。（図２（ｂ）参照）
工程（３）  施工穴１１の底に砕石１６を敷く。（図２（ｃ）参照）
工程（４）  砕石１６の上に捨てコンクリート１８を敷き、その上に束石２０を束石２０の上面と、地盤１０の上面の高さが略同一となるように設置する。（図２（ｄ）参照）
工程（５）  工程（４）の状態の施工穴１１に地盤１０と同質の土等を入れ、地盤１０に砕石１６、捨てコンクリート１８、束石２０が埋まるようにする。このとき、束石２０の上面の高さは、地盤１０の上面と略同じ高さであり、かつ、地盤１０の上面から露出するようにする。（図２（ｅ）参照）
工程（６）  地盤１０の上面及び束石２０の上面に防蟻シート３０を敷く。（図２（ｆ）参照）
工程（７）  床束４０を防蟻シート３０を挟んで束石２０の上に設置する。（図２（ｇ）参照）
【００３３】
施工例２（図３（ａ）〜図３（ｆ）参照）
工程（１）  予め上面が平面になるように掘り下げた地盤１０の上に、基礎５０を設置する。（図３（ａ）参照）
工程（２）  基礎５０から離れた位置の地盤１０の上に、捨てコンクリート１８を設置する。（図３（ｂ）参照）
工程（３）  捨てコンクリート１８の上に束石２０を設置する。（図３（ｃ）参照）
工程（４）  地盤１０の上面に土等を均等の高さで盛り上げて、地盤１０の上面の高さを高くする。このとき、地盤１０の上面の高さと、束石２０の高さは略同じ高さとし、束石２０の上面は地盤１０の上面から露出するようにする。（図３（ｄ）参照）
工程（５）  地盤１０の上面及び束石２０の上面に防蟻シート３０を敷く。（図３（ｅ）参照）
工程（６）  床束４０を防蟻シート３０を挟んで束石２０の上に設置する。（図３（ｆ）参照）
【００３４】
なお、施行例１、施行例２共に、充填剤１２と固定材１４の設置の工程に関しては、上記の実施形態で行うものとする。
【００３５】
【発明の効果】
以上説明したことから明らかなように、本発明に従えば、束石の上面と地盤の上面が略同一の高さであるため、防蟻シートに特に加工を施したり、防蟻シートの敷設後に特別な作業を施さなくても従来と同様の作用効果を得ることが出来る。従って、防蟻シートの敷設作業の手間を軽減することができる。
【図面の簡単な説明】
【図１】    本発明方法が適用される防蟻構造の断面図である。
【図２】（ａ）〜（ｇ）は、本発明に係る防蟻構造の施工例１の工程図である。
【図３】（ａ）〜（ｆ）は、本発明に係る防蟻構造の施工例２の工程図である。
【符号の説明】
１０  地盤
２０  束石
３０  防蟻シート
４０  床束
【図１】
0004778641.tif 000002
【図２】
0004778641.tif 000003
【図３】
0004778641.tif 000004